(57)【要約】【課題】壁面に取り付けて薄型テレビを装着した状態で、十分な強度を有する薄型テレビ取付用壁面ユニットを提供する。【解決手段】薄型テレビ取付用壁面ユニット(U)は、壁面に固定可能な取付パネル(1)と取付パネル(1)の正面側に固定されているテレビ取付具(2)を有しており、取付パネル(1)は棚が取り付け可能な棚受具(13)と、取付パネル(1)に設けられている配線収容部(14)とを備えており、テレビ取付具(2)は、取付パネル(2)に固定されている基枠(20)と、テレビの背面側に取り付け可能で、テレビの背面側に取り付けた状態で前記基枠(20)の所要の箇所に掛けて取り付け可能な複数の掛け具(21)を備えている。【選択図】図４
2009071711.tif 000002
【特許請求の範囲】
【請求項１】
壁面に固定可能な取付パネル(1)と取付パネル(1)の正面側に固定されているテレビ取付具(2)を有しており、
前記取付パネル(1)は、
棚が取り付け可能な棚受具(13)と、
前記取付パネル(1)に設けられている配線収容部(14)と、
を備えており、
前記テレビ取付具(2)は、
前記取付パネル(2)に固定されている基枠(20)と、
テレビの背面側に取り付け可能で、テレビの背面側に取り付けた状態で前記基枠(20)の所要の箇所に掛けて取り付け可能な複数の掛け具(21)と、
を備えている、薄型テレビ取付用壁面ユニット。
【請求項２】
配線収容部(14)の端部が取付パネル(1)の下端部に開口しており、取付パネル(1)の下端部と床面との間に、壁面と所要の間隔をおいて設けられる幕板部材(3)を備えている、
請求項１記載の薄型テレビ取付用壁面ユニット。
【請求項３】
取付パネル(1)は、ベースパネル(10)と、ベースパネル(10)の端部に着脱可能に接続できる所要数の延長用パネル(11,12)を備えている、
請求項１記載の薄型テレビ取付用壁面ユニット。
【発明の詳細な説明】
【技術分野】
【０００１】
本発明は、薄型テレビ取付用壁面ユニットに関するものである。更に詳しくは、液晶ディスプレイやプラズマディスプレイ等を使用した薄型テレビを部屋等の壁面に取り付けるための薄型テレビ取付用壁面ユニットに関する。
【背景技術】
【０００２】
近年、液晶ディスプレイやプラズマディスプレイ等を使用した薄型テレビの薄型化に関する技術の進歩にはめざましいものがあり、壁掛けが可能なテレビもすでに実現している。
また、薄型テレビは、同時に大画面化が進んでおり、従来のブラウン管式のテレビでは実現し得なかった大きさのものが製品化されている。このため、従来の一般的なテレビ収納家具では、大画面の薄型テレビの収納が困難な場合が多い。そこで、大画面の薄型テレビは、スペースの制約があまりない壁面または壁面の近くに取り付けられる場合がある。
【０００３】
薄型とはいえ比較的重量のある薄型テレビを壁に取り付けるには、脱落防止のために壁面の内部に補強部を設けなければならない。しかしながら、住宅の設計段階でテレビの設置場所をあらかじめ特定しておき、補強部の施工を行うことは、実際問題として難しいため、補強部は壁面の施工後に、あらためて場所を決めて施工される場合が多い。これでは、壁面を傷付けたり、費用が割高になるなどの問題が生じる。
【０００４】
施工後の壁面に傷をつけず、壁面の近くに薄型テレビを取り付けるための装置やユニットとしては、例えば実用新案登録第３１２１６２１号に記載された「薄型テレビ壁寄せ装置」がある。
この装置は、天井と床の間に突っ張り固定される二本の支柱ポールを有している。各支柱ポールの間には、上下に所要間隔をおいて二本の梁パイプが平行に取り付けられている。梁パイプの長手方向の二箇所には梁パイプ固定金具が取り付けられている。各梁パイプ固定金具の取り付け位置は調節が可能である。各梁パイプ固定金具には、薄型テレビの背面側に取り付けられる壁寄せ取付け金具が掛けられており、異なる大きさの薄型テレビにも対応できる。
【０００５】
【特許文献１】実用新案登録第３１２１６２１号
【発明の開示】
【発明が解決しようとする課題】
【０００６】
特許文献１記載の装置の構造、すなわち天井と床の間に突っ張り固定される二本の支柱ポール間に二本の梁パイプが平行に取り付けられ、梁パイプの二箇所に梁パイプ固定金具が取り付けられている棒状体の組合せからなる構造は、例えば各部材に人や物が接触したり地震が起こったような場合に、各部材の変形が相互に相乗しやすく、装置が天井と床の間に固定されている状態でも強度が十分とはいえなかった。
【０００７】
また、装置を天井と床の間に固定した状態において、装置が壁面から正面側へ離れた位置にあるため、薄型テレビを装着した状態では壁面と視覚的に一体化しにくく、インテリアとしても違和感がある。さらには、装置に装着される薄型テレビの電源コードやビデオデッキ等の機器との配線が露出してしまうので、見苦しくなるという課題もあった。
【０００８】
そこで本発明の目的は、壁面に取り付けて薄型テレビを装着した状態で、十分な強度を有する薄型テレビ取付用壁面ユニットを提供することである。
また、本発明の他の目的は、壁面に取り付けて薄型テレビを装着したときに、壁面と視覚的に一体化してインテリアとしての違和感がなく、調和させやすい薄型テレビ取付用壁面ユニットを提供することである。
さらには、薄型テレビの電源コードやビデオデッキ等の機器との配線が露出せず見苦しくなることがない薄型テレビ取付用壁面ユニットを提供することである。
【課題を解決するための手段】
【０００９】
上記課題を解決するために本発明が講じた手段は次のとおりである。
本発明は、
壁面に固定可能な取付パネルと取付パネルの正面側に固定されているテレビ取付具を有しており、
前記取付パネルは、
棚が取り付け可能な棚受具と、
前記取付パネルに設けられている配線収容部と、
を備えており、
前記テレビ取付具は、
前記取付パネルに固定されている基枠と、
テレビの背面側に取り付け可能で、テレビの背面側に取り付けた状態で前記基枠の所要の箇所に掛けて取り付け可能な複数の掛け具と、
を備えている、薄型テレビ取付用壁面ユニットである。
【００１０】
本発明の薄型テレビ取付用壁面ユニットは、
配線収容部の端部が取付パネルの下端部に開口しており、取付パネルの下端部と床面との間に、壁面と所要の間隔をおいて設けられる幕板部材を備えているのがより好ましい。
【００１１】
本発明の薄型テレビ取付用壁面ユニットは、
取付パネルが、ベースパネルと、ベースパネルの端部に着脱可能に接続できる所要数の延長用パネルを備えているのがより好ましい。
【００１２】
（作用）
本発明に係る薄型テレビ取付用壁面ユニットの作用を説明する。なお、ここでは、説明で使用する各構成要件に、後述する実施の形態において各部に付与した符号を対応させて付与するが、この符号は、特許請求の範囲の各請求項に記載した符号と同様に、あくまで内容の理解を容易にするためであって、各構成要件の意味を上記各部に限定するものではない。
【００１３】
薄型テレビ取付用壁面ユニットは、次のようにして使用する。
まず、テレビ取付具(2)が固定されている取付パネル(1)をネジ等の固定手段によって壁面の所定の箇所に固定する。
テレビ取付具(2)の複数の掛け具(21)を外して、テレビ取付具(2)に装着する薄型テレビの背面の取付箇所に取り付ける。この取り付けは、ネジやボルト等、薄型テレビの取付箇所構造に対応した固定手段により行う。
【００１４】
背面側に掛け具(21)を取り付けた薄型テレビを、掛け具(21)を基枠(20)の所要の箇所に掛けることにより基枠(20)に装着する。この際、必要に応じて、ネジやボルト等、他の固定手段と併用することも可能である。また、この構造によれば、掛け具(21)を基枠(20)に対し掛ける箇所が制限されていないので、大きさが異なる薄型テレビに対応でき、例えば後にさらに大きなテレビに買い替える場合でも支障なく装着することができる。
【００１５】
薄型テレビ取付用壁面ユニット(U)は、薄型テレビを前記のように、取付パネルによって壁面に対し比較的広い面で取り付けることができるので荷重を分散することができ、十分な取付強度を有している。
また、取付パネルは薄く壁面からあまり突出しないので、人や物が接触しにくく、仮に接触した場合でも、壁面と一体となっているために変形しないか、変形しにくい。さらにユニット(U)は、壁面に取り付けて薄型テレビを装着したときに、壁面と視覚的に一体化するので、インテリアとしての違和感がなく、調和させやすい。
【００１６】
配線収容部(14)の端部が取付パネルの下端部に開口しており、取付パネル(1)の下端部と床面との間に、壁面と所要の間隔をおいて設けられる幕板部材(3)を備えているものは、薄型テレビの電源コードやビデオデッキ等の機器との配線を配線収容部(14)内に収容し、さらに幕板部材(3)と壁面との間の空間部内を這わせて処理することによって、配線等が露出せず見苦しくなることがない。
【００１７】
取付パネル(1)が、ベースパネル(10)と、ベースパネル(10)の端部に着脱可能に接続できる所要数の延長用パネル(11,12)を備えているものは、例えば様々なデザインの延長用パネル(11,12)を必要に応じて選択し、これらをベースパネル(10)に適宜接続することにより、取付パネル(1)の全体的な大きさや形状あるいは色彩や色調の設定、変更ができるので、部屋の雰囲気やインテリアに合ったデザイン的なコーディネートが可能になる。
【発明の効果】
【００１８】
本発明は次のような効果を有する。
（ａ）本発明の薄型テレビ取付用壁面ユニットは、薄型テレビを取付パネルによって壁面に対し比較的広い面で取り付けることができるので荷重を分散することができ、十分な取付強度を有している。また、取付パネルは薄く壁面からあまり突出しないので、人や物が接触しにくく、仮に接触した場合でも、壁面と一体となっているために変形しないか、変形しにくい。さらに、薄型テレビ取付用壁面ユニットは、壁面に取り付けて薄型テレビを装着したときに、壁面と視覚的に一体化するので、インテリアとしての違和感がなく、調和させやすい。
【００１９】
（ｂ）配線収容部の端部が取付パネルの下端部に開口しており、取付パネルの下端部と床面との間に、壁面と所要の間隔をおいて設けられる幕板部材を備えているものは、薄型テレビの電源コードやビデオデッキ等の機器との配線を配線収容部内に収容し、さらに幕板部材と壁面との間の空間部内を這わせて処理することによって、配線等が露出せず見苦しくなることがない。
【００２０】
（ｃ）取付パネルが、ベースパネルと、ベースパネルの端部に着脱可能に接続できる所要数の延長用パネルを備えているものは、例えば様々なデザインの延長用パネルを必要に応じて選択し、これらをベースパネルに適宜接続することにより、取付パネルの全体的な大きさや形状あるいは色彩や色調の設定、変更ができるので、部屋の雰囲気やインテリアに合ったデザイン的なコーディネートが可能になる。
【発明を実施するための最良の形態】
【００２１】
本発明を図面に示した実施の形態に基づき詳細に説明する。
【００２２】
図１は本発明に係る薄型テレビ取付用壁面ユニットの実施の形態を示す斜視図、
図２は図１におけるＡ−Ａ要部拡大断面図、
図３はテレビ取付具の構造を示す分解斜視図である。  
【００２３】
薄型テレビ取付用壁面ユニットＵは、壁面に固定可能な木製の取付パネル１と、取付パネル１の正面側に固定されている金属製のテレビ取付具２及び幕板部材３を有している。なお、図１、図２においては、幕板部材３の図示を省略している。
取付パネル１は、長方形状のベースパネル１０と、ベースパネル１０の左右両側の端辺部に接続されている延長用パネル１１、１２により構成されている（図１、図４参照）。
【００２４】
なお、ベースパネル１０と延長用パネル１１、１２の接続構造は、本実施の形態では、延長用パネル１１、１２の幅方向の一方側の端辺と、ベースパネル１０の両端辺部にそれぞれ全長（全高）にわたり溝部（符号省略）を設け、この溝部に接続部材１８を嵌め込んで接続する構造である。延長用パネル１１、１２は、壁面に取り付けた状態でベースパネル１０に対して固着された形で一体となるが、延長用パネル１１、１２とベースパネル１０をネジ等の固着手段で接続する構造とすることもできる。
【００２５】
また、ベースパネル１０と、延長用パネル１１、１２の正面側には、幅方向に所要の間隔をおいて、それぞれ縦方向かつ平行に溝（符号省略）が設けられ、各溝には棚受具１３が全長にわたり埋設された状態で取り付けられている。
棚受具１３は、棚受用の金具であり、断面四角形の筒体の正面側に長方形状の孔が長手方向へ等間隔で多数設けられた構造を有している。各パネル１０、１１、１２の棚受具１３間には、ブラケット２８０（図４参照）を係止して棚板２８を着脱可能に取り付けることができる。
【００２６】
ベースパネル１０の幅方向中央部には、配線収容部１４（図２、図４に図示）が縦方向に形成されている。配線収容部１４は、ベースパネル１０の下端部からほぼ１／２の高さにかけて、ベースパネル１０の厚みに収まっている断面四角形の空間で形成されており、ベースパネル１０下端部には下部開口部１４０を有している。ベースパネル１０の正面側には、配線収容部１４に対応する二箇所に、配線収容部１４へ貫通する導入孔１５、１５ａが設けられている。上部側の導入孔１５は、テレビの配線に対応し、下部側の導入孔１５ａは、ビデオデッキ等の他の機器の配線に対応する。
【００２７】
また、取付パネル１（ベースパネル１０と延長用パネル１１、１２）の下端部には、幕板部材３が配置可能である。幕板部材３は木製で、縦断面Ｌ字状である。幕板部材３は、配線収容部１４を通って下部開口部１４０から下方へ導出される配線等を壁面４との間の空間部に這わせて処理することができ、配線等を正面側から見えないように隠すことができる。
【００２８】
テレビ取付具２は、取付パネル１の正面側に固定されている。
テレビ取付具２は、長方形状に枠組みされた基枠２０と、基枠２０に掛けて取り付けが可能な二本の掛け具２１で構成されている。
基枠２０は、上枠２２と下枠２３を両端部の二箇所で縦枠２４によって連結した構造である。上枠２２、下枠２３と縦枠２４はネジ２５で固定されている。
【００２９】
上枠２２と下枠２３は同じ構造である。上枠２２と下枠２３は背面板２００を有し、背面板２００には、長穴で形成された取付孔２０１が等間隔で複数設けられている。上枠２２と下枠２３は、図３に示すように、上下方向において対称になるようにして取り付けられている。基枠２０は、ネジ２６（図４に図示）を上枠２２と下枠２３の各取付孔２０１に通し、このネジ２６で取付パネル１のベースパネル１０正面側に固定されている。
【００３０】
掛け具２１は、横断面コ字状で所要長さの本体２１０を備えている。本体２１０の上端部にはフック板２１１が横方向へ設けられており、本体２１０の下端部には固定板２１２が同じく横方向へ設けられている。固定板２１２には、ネジ孔２１３が設けられている。
ネジ孔２１３には、掛け具２１を基枠２０の下枠２３に締付固定するためのネジ２７が螺合される。
【００３１】
また、本体２１０の取付板（薄型テレビの背面に取り付けられる面：符号省略）には、上部側に多数の孔２１４が設けられており、下部側の二箇所に長穴２１５が設けられている。各孔２１４と長穴２１５は、掛け具２１を薄型テレビＴの背面の取付箇所にネジ２１６（図５に図示）で取り付けるための穴である。
【００３２】
（作用）
図４は薄型テレビ取付用壁面ユニットの使用状態を示す説明図、
図５は薄型テレビの取り付け方法を示す説明図である。
【００３３】
薄型テレビ取付用壁面ユニットＵの使用方法及び作用を説明する。
まず、テレビ取付具２が固定されている取付パネル１のベースパネル１０をネジ１９によって壁面４の所定の箇所に固定する。このとき、各ネジ１９は壁面４内部側の木製のたる木やたて枠等の部材にたてるようにする。また、ベースパネル１０の下端部を壁面４の下端部に設けられている幅木４０の上端部に位置させて水平になるようにする。次に、延長用パネル１１、１２をベースパネル１０の左右両端縁部に対し、凹凸部を相互に嵌め込んで接続し、ネジ１９によって壁面４に固定する。なお、ネジ１９の頭には化粧キャップ１９０が被せられる。
【００３４】
取付パネル１が、ベースパネル１０と延長用パネル１１、１２で構成されるものは、例えば様々なデザインのベースパネルと延長用パネルを設定し、これらを適宜選択して組み合わせることにより、取付パネルの全体的な大きさや形状あるいは色彩や色調の設定、変更ができるので、部屋の雰囲気やインテリアに合ったデザイン的なコーディネートが可能になる。
【００３５】
また、各パネル１０、１１、１２の各棚受具１３間の適宜箇所にブラケット２８０を係止して棚板２８、２８ａ、２８ｂを取り付ける。なお、ベースパネル１０のうち、基枠２０の内側に対応する部分（基枠２０に装着される薄型テレビＴで隠れる部分）に、ＡＣコンセントやアンテナ端子を設けることもできる。
【００３６】
テレビ取付具２を構成する二個の掛け具２１を、テレビ取付具２に装着する薄型テレビＴの背面の取付箇所にネジ２１６で取り付ける。なお、各掛け具２１は互いに別体となっているので、大きさの異なるテレビ、言い換えれば取付箇所の間隔が異なるテレビでも取り付けが支障なくできる。
【００３７】
背面側の二箇所に掛け具２１を取り付けた薄型テレビＴを基枠２０に装着する。薄型テレビＴを装着するにあたっては、各掛け具２１の上端部のフック板２１１を基枠２０の上枠２２の所要箇所の上面に掛け、固定板２１２を下枠２３の下方に位置させる。この際、フック板２１１の先端垂直部は、上枠２２とベースパネル１０との間に隙間があくように設けられた段部２２０に差し込まれる（図２参照）。
【００３８】
そして、固定板２１２のネジ孔２１３に下方からネジ２７を螺合し、これを締め付けて先端部で下枠２３の下面を押圧して各掛け具２１を基枠２０に固定する。これにより、薄型テレビＴは各掛け具２１を介し基枠２０に固定される。なお、ネジ孔２１３を単に孔とし、ネジ２７を下枠２３に設けたネジ孔に螺着する構造としてもよい。
【００３９】
この構造によれば、前記したように互いに別体となっている各掛け具２１は、取付箇所の間隔が異なる大きさが異なるテレビでも取り付けが支障なくできると共に、各掛け具２１を基枠２０の上枠２２に対し掛ける箇所が制限されていないので、掛け具２１の間隔が異なっていても、すなわち各掛け具２１が取り付けられる薄型テレビの大きさが異なっていても、支障なく装着することができる。
【００４０】
前記中央部の棚板２８にビデオデッキやＤＶＤプレーヤー等の機器を置き、薄型テレビＴと共に配線を行う。配線されたケーブルは、導入孔１５、１５ａから配線収容部１４内部へ導入して配線収容部１４内部に収められるので見苦しくはならない。
【００４１】
なお、例えばアンテナ端子が離れた箇所にある場合などは、アンテナケーブルの全体を配線収容部１４内部に収めることができない。このような場合は、アンテナケーブルを配線収容部１４の下部開口部１４０から導入し、床５を這うケーブルを取付パネル１下端部に幕板部材３を配することによって覆い隠すことができる。
【００４２】
薄型テレビ取付用壁面ユニットＵは、前記のように薄型テレビＴを取付パネル１によって壁面４に対し比較的広い面で取り付けることができるので荷重を分散することができ、前記従来の装置と比較して十分な取付強度を有している。また、特に壁面に補強部を設けなくても、壁面４の比較的自由な位置に施工が可能である。また、取付パネル１は薄く、壁面４からあまり突出しないので、人や物が接触しにくく、仮に接触した場合でも、壁面４と一体となっているために変形しないか、変形しにくい。
さらに、薄型テレビ取付用壁面ユニットＵは、壁面４に取り付けて薄型テレビＴを装着したときに、壁面４と視覚的に一体化するので、インテリアとしての違和感がなく、調和させやすい。
【００４３】
なお、本明細書で使用している用語と表現は、あくまでも説明上のものであって、なんら限定的なものではなく、本明細書に記述された特徴およびその一部と等価の用語や表現を除外する意図はない。また、本発明の技術思想の範囲内で、種々の変形態様が可能であるということは言うまでもない。
【図面の簡単な説明】
【００４４】
【図１】本発明に係る薄型テレビ取付用壁面ユニットの実施の形態を示す斜視図。
【図２】図１におけるＡ−Ａ要部拡大断面図。
【図３】テレビ取付具の構造を示す分解斜視図。
【図４】薄型テレビ取付用壁面ユニットの使用状態を示す説明図。
【図５】薄型テレビの取り付け方法を示す説明図。
【符号の説明】
【００４５】
Ｕ  薄型テレビ取付用壁面ユニット
１  取付パネル
１０  ベースパネル
１１、１２  延長用パネル
１３  棚受具
１４  配線収容部
１４０  下部開口部
１５  導入孔
１５ａ  導入孔
１８  接続部材
１９  ネジ
１９０  化粧キャップ
２  テレビ取付具
２０  基枠
２００  背面板
２０１  取付孔
２１  掛け具
２１０  本体
２１１  フック板
２１２  固定板
２１３  ネジ孔
２１４  孔
２１５  長穴
２１６  ネジ
２２  上枠
２２０  段部
２３  下枠
２４  縦枠
２５  ネジ
２６  ネジ
２７  ネジ
２８  棚板
２８０  ブラケット
３  幕板部材
４  壁面
４０  幅木
５  床
Ｔ  薄型テレビ
【図１】
2009071711.tif 000003
【図２】
2009071711.tif 000004
【図３】
2009071711.tif 000005
【図４】
2009071711.tif 000006
【図５】
2009071711.tif 000007